Podtech/llm-jp-corpus-v4-ja_patent huggingface dataset:
(57)【要約】      （修正有）【課題】使用素材をプレス技術によってプリーツ状に加工し、素材を立体状にすることにより、見る角度によって違った図柄を表示する時に、素材としてプラスチックや鉄などの硬い素材を使用した場合、布等が風になびき、動きを伴うことにより視線の注目を集める効果が無くなってしまうことを改善する。【解決手段】布・不織布・紙・プラスチックシート素材等のやわらかい素材にプリーツ加工を施し、風や物理的な力により動きを伴うことで、２つの図柄と動きによる注視効果を持たせる【選択図】図１
0003128909.tif 000002
【実用新案登録請求の範囲】
【請求項１】
縦方向に一定間隔に設けられた複数のプリーツを施した二面ディスプレイであって、前記各プリーツの左側面・右側面には、異なる表示が施されており、互いに隣接する左右側面のなす角が変化しうることを特徴とする二面ディスプレイ。
【請求項２】
前記シートは繊維質素材からなることを特徴とする請求項１記載の二面ディスプレイ。
【考案の詳細な説明】
【技術分野】
【０００１】
本考案は、布・不織布・紙・プラスチック素材からなる二面ディスプレイに属する。
【背景技術】
【０００２】
使用素材をプレス技術によってプリーツ状に加工し、素材を立体状にすることにより、見る角度によって違った図柄を表示する技術は古来より知られている。
【特許文献１】実開昭６２−１７３７８８号公報
【考案の開示】
【考案が解決しようとする課題】
【０００３】
しかしながら、素材としてプラスチックや鉄などの硬い素材を使用した場合、布等が風になびき、動きを伴うことにより視線の注目を集める効果が無くなってしまうなどの欠点があった。
【課題を解決するための手段】
【０００４】
本考案は、布・不織布・紙・プラスチックシート素材等のやわらかい素材にプリーツ加工を施し、風や物理的な力により動きを伴うことで、２つの図柄と動きによる注視効果を持たせることから上記課題を解決するものである。
【考案の効果】
【０００５】
風や物理的な力により動きを伴うことで、２つの図柄と動きによる注視効果を持たせることが出来る。
【考案を実施するための最良の形態】
【０００６】
本考案においてシートとして、軽く加工のしやすいシルクスクリーンが好ましい為、シートとしてシルクスクリーンを使用することが出来る。表現したい2種類の違った図柄を、デザイン１・デザイン２とする。デザイン１は右斜めから見た図、デザイン2は左斜めから見た図となる。（図２−A）
【０００７】
その2種類の違った図柄を一定の幅に線をいれ、デザイン１の左端から１−a・１−ｂ・１−ｃと表現すると、デザイン２は左端から２−a・２−ｂ・２−ｃと表現出来る。（図２−B）
【０００８】
（図２−B)図柄の配置をパソコン上で変え、並び順を１−a ・２−a・１−ｂ・２−ｂ・１−ｃ・２−ｃの順に並べ替え、印刷したいシート（シルクスクリーン）に印刷する。（図３）
【０００９】
（図３）の線を入れた部分を左から４・５・６・７・８・９・１０・・・と番号を付けると、４を山折り、５を谷折り、６を山折り、７を谷折り、８を山折り、９を谷折り、１０を山折りに、山と谷交互にプリーツ加工する。（図４）
【００１０】
（図４）は（図３）を折ってプリーツ加工したものの斜視図であり、（図５）はそのシートを上から見た平面図である。
【００１１】
おもて側（印刷面）から見て、右斜めから見るとデザイン１（図６−１）が見え、左斜めから見ると、デザイン２の図柄（図６−２）が見える。
【００１２】
設置場所にはシートを固定するためのポールを用意し、そのポールには、出来上がり寸法の幅と同じ場所に２箇所の穴を開ける。ポールにあけた２箇所の穴の間に何箇所かの同様の穴をあける。これは、シートを固定するための穴である。
【００１３】
シートには適当な太さのひもを取り付け、取り付け場所はシート上部の山折部分（図５−４）に糸で縫いつけ固定する。同様にシート上部の山折部分に、ポールの穴と同じ場所に同様のひもを縫い付ける。
【００１４】
シートの素材や図柄、シートの長さによって、必要に応じてひもの取り付け箇所を増やす。
【００１５】
シートに固定されたひもをポールに結び設置する。（図１）
【図面の簡単な説明】
【００１６】
【図１】本考案の実施形態を示す、斜視図
【図２】図柄
【図３】シートに印刷する為に二種類の図柄を並べ替えた図
【図４】プリーツ加工されたシートの斜視図
【図５】（図４）を上から見た平面図
【図６】本考案により実際に見える二面ディスプレイ
【符号の説明】
【００１７】
１            プリーツの右側面
２            プリーツの左側面
４〜１０      プリーツの折り目
【図１】
0003128909.tif 000003
【図４】
0003128909.tif 000004
【図５】
0003128909.tif 000005
【図２】
0003128909.tif 000006
【図３】
0003128909.tif 000007
【図６】
0003128909.tif 000008
【手続補正書】
【提出日】平成18年11月16日(2006.11.16)
【手続補正１】
【補正対象書類名】実用新案登録請求の範囲
【補正対象項目名】請求項１
【補正方法】変更
【補正の内容】
【請求項１】
縦方向に一定間隔に設けられた複数のプリーツを施したシートからなる二面ディスプレイであって、前記各プリーツの左側面・右側面には、異なる表示が施されており、互いに隣接する左右側面のなす角が変化しうることを特徴とする二面ディスプレイ。
(57)【要約】【課題】            イヤフォンと耳との密着性を良くし、音漏れが少なく、スピーカーの角度調節が容易であり、イヤフォンのスピーカーからの音量を減衰させず、高い音質で聴くことのできるイアフォン用スタビライザーの提供。【解決手段】        長さ調節用アジャスターを有する円弧状のバンドの両端部に柔軟性材料からなるパッキンを設けてなるイヤフォン用スタビライザー【選択図】          図１
0003128993.tif 000002
【実用新案登録請求の範囲】
【請求項１】
長さ調節用アジャスターを有する円弧状のバンドの両端部に柔軟性材料からなるパッキンを設けてなるイヤフォン用スタビライザー。
【請求項２】
パッキンがゴムであることを特徴とする請求項１記載のイヤフォン用スタビライザー。
【請求項３】
バンドが金属又はプラスチック製のばねであることを特徴とする請求項１または２に記載のイヤフォン用スタビライザー。
【考案の詳細な説明】
【技術分野】
【０００１】
本考案はイヤフォン用スタビライザーに関する。更に詳しくは、イヤフォンと耳との密着性を良くし、音漏れを抑制するためのイアフォン用スタビライザーに関する。
【背景技術】
【０００２】
ＣＤやカセットテープ等を車中や屋外等で携帯しながら聴くために、イヤフォンやヘッドフォンが多く用いられている。これらはスピーカーが小さいため、再生された音を忠実に伝えるためには、できるだけスピーカーを耳に近づける必要がある。また周囲への迷惑防止のため、音漏れを防がなければならない。特に音楽の場合、ひずみがなく忠実に再生された音が聴けることが要求される。
【考案の開示】
【考案が解決しようとする課題】
【０００３】
ヘッドフォンの場合は、気密性が良く、音漏れは少ないが、耳に完全に密着できないため、スピーカーと耳との距離があくので、音にひずみがおきてしまう。
【０００４】
またヘッドフォンの場合、スピーカーが、これを支持する金属製のばねと一体となっているため、決められた角度で耳と接触し、角度の調節ができないので、耳との密着性が悪く、音質が良くない。
【０００５】
一方イヤフォンはスピーカーを耳孔に入れることができ、スピーカーとの距離が短いので高音質で聴くことができるが、イヤフォンと耳との密着性が弱く、音漏れが大きい。
【０００６】
近年は気密性を高めるため、スピーカーの周囲にゴムリングを備え、これを耳に挿入することにより、ゴムの反発力による内側から力を加える方式が用いられている、この方式においてもスピーカーの角度調節はできないため、音のひずみをなくすことはできない。
【０００７】
このように従来のヘッドフォン、イヤフォンともスピーカーからの音量を減衰させず、高い音質で聴くことは困難であった。
【０００８】
本考案者はこの点について、対策を検討した結果、イヤフォン用スタビライザーを用い、耳に挿入したイヤフォンの外側にこれを装着して、外から力を加えてイヤフォンを耳に押し付けて、イヤフォンのスピーカーと耳との密着性を良くするとともに、音漏れを遮断し、振動を防ぐことができ、この問題を解決できることを見出した。
【課題を解決するための手段】
【０００９】
すなわち本考案は、長さ調節用アジャスターを有する円弧状のバンドの両端部に柔軟性材料からなるパッキンを設けてなるイヤフォン用スタビライザーである。
【考案の効果】
【００１０】
本考案によれば、耳に挿入されたイヤフォンの外側に、イヤフォンとは別個に、本考案のイヤフォン用スタビライザーを装着して、イヤフォンを外側から抑えることにより、スピーカーと耳との密着性を良くするとともに、音漏れを遮断することができる。またスタビライザーの両端に取り付けられたパッキンが、ゴムのように柔らかい素材であるため、不要な振動を抑えるとともにイヤフォーンとセパレートしていることによりスピーカーと耳の角度調節が一定時間保持できるので、音楽をよりリアルな高音質で聴くことができる。
【考案を実施するための最良の形態】
【００１１】
本考案の具体的構成を図１に示す。図１は、イヤフォンを本考案のイヤフォン用スタビライザーで押さえて使用する場合の全体を示す図である。また図２は、図１のイヤフォン用スタビライザー１のパッキン３周辺の詳細図である。図１及び図２において、本考案のイヤフォン用スタビライザー１はバンド２とその両端部に設けられたパッキン３とからなる。リスナーはイヤフォン５の先端にあるスピーカー６を耳７に挿入した後、その上からスタビライザー１を装着する。
【００１２】
バンド２は、頭の上を覆うように装着できるように形状が円弧状である。
【００１３】
バンドには、長さ調節用のアジャスター４を設け、リスナーの耳の位置にパッキン３を合わせるよう、全体の長さを調節することができる。
【００１４】
スタビライザーはイヤフォンが外れないように、また本考案の目的であるスピーカーと耳との密着性を良くするために、一定の圧力がかかる必要がある。そのためスタビライザーのバンド２の材料は弾性材料、例えば、ステンレス等の金属製、またはポリエチレン、ポリプロピレン等のプラスチック製のばねが用いられる。
【００１５】
パッキン３は全体がイヤフォンのスピーカーに当たるような大きさ、形状が必要である。通常は円形が好適である。大きさは直径１０〜１５ｍｍ程度が好ましい。
【００１６】
パッキン３の材質はスピーカーを押し付けるために、適度の硬度と、同時に音の遮断性が必要であり、ゴム、プラスチック等が用いられるが、特にゴムが好ましい。
【産業上の利用可能性】
【００１７】
近年音楽等のオーディオ機器を個人的に聴く機会が多くなり、小さなスピーカーでも高音質で聴けること、及び他人に迷惑を及ぼさない配慮が求められている。本考案によるイヤフォン用スタビライザーを用いれば、持ち運びの簡単な小型のセットで、高い音質の音楽を楽しむことができる。
【図面の簡単な説明】
【００１８】
【図１】本考案のスタビライザーの全体図及びこれをイヤフォンの外側に装着した状態を示す。
【図２】本考案のスタビライザーのパッキン部の詳細図である。
【符号の説明】
【００１９】
１  イヤフォン用スタビライザー
２  バンド
３  パッキン
４  アジャスター
５  イヤフォン
６  スピーカー
７  耳
【図１】
0003128993.tif 000003
【図２】
0003128993.tif 000004
(57)【要約】      （修正有）【課題】ライターの外殻に緩衝性を持たせることにより、耐衝撃性を高めてライターの安全性を高めること、またライター本体の耐衝撃性が多少低くとも安全性が確保されたライターを得ること。【解決手段】ライター本体１の外側に軟質の合成樹脂ケース４、５を嵌装し、ライターの外側を合成樹脂ケースで被覆して構成した。合成樹脂ケースは、燃料タンクが備えられたライター本体の基部２に嵌装するのみでもよいが、着火部を被覆する蓋である開蓋部５を有するライターにおいては、開蓋部も合成樹脂ケースに嵌装することが好ましい。その場合、合成樹脂ケースは、ライター本体の基部が嵌装される下部箱状部と、ライター本体の開蓋部が嵌装される上部箱状部とで構成し、下部箱状部の上部箱状部との連設部にライター本体のヒンジ部が通過しえる開口部６を形成する。【選択図】 図１
0003128999.tif 000002
【実用新案登録請求の範囲】
【請求項１】
ライター本体の外側に軟質の合成樹脂製ケースを嵌装したライター
【請求項２】
合成樹脂はライター本体の基部が嵌装される下部箱状部と、ライター本体の開蓋部が嵌装される上部箱状部とを有し、下部箱状部の上部箱状部との境界部にライター本体のヒンジ部が通過しえる開口部が形成された、請求項１記載のライター
【請求項３】
合成樹脂はシリコンとした、請求項１又は２の何れかに記載のライター
【考案の詳細な説明】
【技術分野】
【０００１】
この発明は、衝撃に強く触感の軟らかいライターに関するものである。
【背景技術】
【０００２】
ライターは、燃料としての油やガスが充填されている。そのため、外力が加わったときに燃料が流出したり、発火しないために邀撃を受けたときに燃料タンクが破損したり発火しないような、耐衝撃性が要求される。
しかしながら、従来のライターの外殻は一般に金属製又は合成樹脂製であって、その外殻の素材自体の強度によって、耐衝撃性を満足させるように設計されている。
また、従来、ライター本体の外側に装飾用のカバーを嵌め込んだものも知られているが、従来のカバーは装飾のみを目的としたものであって、カバーによって耐衝撃性を高めようとするものではない。
【考案の開示】
【考案が解決しようとする課題】
【０００３】
この考案は、ライターの外殻に緩衝性を持たせることにより、耐衝撃性を高めてライターの安全性を高めること、またライター本体の耐衝撃性が多少低くとも安全性が確保されたライターを得ることを目的とするものである。
【課題を解決するための手段】
【０００４】
この考案のライターは、ライター本体の外側に軟質の合成樹脂ケースを嵌装し、ライターの外側を合成樹脂ケースで被覆して構成したものである。
前記合成樹脂ケースは、燃料タンクが備えられたライター本体の基部に嵌装するのみでもよいが、着火部を被覆する蓋である開蓋部を有するライターにおいては、開蓋部も合成樹脂ケースに嵌装することが好ましい。その場合、合成樹脂ケースは、ライター本体の基部が嵌装される下部箱状部と、ライター本体の開蓋部が嵌装される上部箱状部とで構成し、下部箱状部の上部箱状部との連設部にライター本体のヒンジ部が通過しえる開口部を形成する。
このライターにおいてケースの素材となる軟質合成樹脂は、弾性並びに手に持ったときの柔らかな感触の面からシリコンが好ましい。
【考案の効果】
【０００５】
この考案によれば、ライター本体の外側が軟質の合成樹脂ケースで被覆されているので、ライターを落下させた際の衝撃は合成樹脂ケースによって吸収される。したがって、ライター本体の外殻の強度が十分でなくとも所定の耐衝撃性を得ることができ、ライター本体の外殻の強度が高い場合には一層の耐衝撃性を得ることができる。加えて、  また、合成樹脂ケースが断熱層として機能するので燃料ガスの暴発も回避でき、安全なライターとすることができる。
また、軟質合成樹脂により手で握った際に従来のライターのような硬質な感触ではなく柔らかな感触を得ることができ、更に落としたときに衝撃音の発生がない。
【考案を実施するための最良の形態】
【０００６】
ライター１は、燃料タンクを備えた基部２と着火部を覆う開蓋部３とを備えている。そして、基部２には下部合成樹脂ケース４が嵌装してあり、開蓋部３には上部合成樹脂ケース５が嵌装してある。そして、前記下部合成樹脂ケース４の一側面の上縁部には、前記ライター１において基部２と開蓋部３を連結するヒンジ部６が突出するための開口部７が設けてあり、個々をヒンジ部が通過して開蓋部３が自由に開閉できるようにしてある。
前記下部合成樹脂ケース４及び上部合成樹脂ケース５の素材はシリコンである。
【０００７】
この合成樹脂ケースは自由に色彩を選定でき、表面に模様を印刷することもできる。
この実施形態においては、ライター本体及び合成樹脂ケース共に角形のものとしてあるが、その形状は任意である。また、合成樹脂ケースの外形を角形として内部に楕円形など異なった形状の中空部を設け、この中空部に合成樹脂ケースの外形と異なる形状のライターを嵌装してもよい。
【産業上の利用可能性】
【０００８】
この考案は、ライター本体の外側に軟質合成樹脂製のケースを嵌装するという簡易な構成でライターの安全性を高めることのできるものであって、産業上の利用可能性を有するものである。
【図面の簡単な説明】
【０００９】
【図１】この考案実施形態の分解斜視図
【図２】同じく断面図
【符号の説明】
【００１０】
１    ライター本体
２    ライターの基部
３    ライターの開蓋部
４    下部合成樹脂ケース
５    上部合成樹脂ケース
６    ヒンジ部
７    開口部
【図１】
0003128999.tif 000003
【図２】
0003128999.tif 000004
(57)【要約】【課題】良好な緩衝能力と比較的高い剛性を兼ね備える多層のスペーサーを提供する。【解決手段】一つの基層１２と、基層１２の両側に別々に位置する二つの緩衝層１４を有し、基層１２の剛性が二つの緩衝層１４より高い。【選択図】図１
0003128961.tif 000002
【実用新案登録請求の範囲】
【請求項１】
一つの基層と、基層の両側に別々に位置する二つの緩衝層とを有し、前記基層の剛性が二つの緩衝層より高いことを特徴とする多層のスペーサー。
【請求項２】
二つの緩衝層は多孔構造であることを特徴とする請求項１に記載の多層のスペーサー。
【請求項３】
二つの緩衝層は発泡倍率が２倍から５０倍の発泡材料から形成されることを特徴とする請求項１に記載の多層のスペーサー。
【請求項４】
二つの緩衝層は発泡倍率が１０倍から１８倍の発泡材料から形成されることを特徴とする請求項１に記載の多層のスペーサー。
【請求項５】
二つの緩衝層は表面にパターンを有することを特徴とする請求項１に記載の多層のスペーサー。
【請求項６】
二つの緩衝層は別々に発泡倍率の異なる発泡材料から形成されることを特徴とする請求項１に記載の多層のスペーサー。
【請求項７】
二つの緩衝層は別々に異なる発泡材料から形成されることを特徴とする請求項１に記載の多層のスペーサー。
【考案の詳細な説明】
【技術分野】
【０００１】
本考案は包装材、詳しく言えば多層のスペーサーに関するものである。
【背景技術】
【０００２】
一般のスペーサー（spacer）の使用範囲は極めて広い。例えば複数のガラス基板を包装ケースに収容するために使用する場合、その原理は複数のスペーサーをガラス基板の間に別々に配置し、スペーサーによりガラス基板の間に間隔を置くことによりガラス基板を保護することである。
一般のスペーサーはプラスチック発泡材料から形成される。良好な緩衝能力を得る場合、発泡材料の発泡倍率を高くする必要がある。しかし発泡倍率の高いスペーサーは比較的柔らかいため、直立式収容に応用する場合、直立状態が維持しにくく、使用の際に滑って落ちてしまうという欠点がある。逆に硬度の大きいスペーサーは直立式収容に応用することに特に問題はないが、硬いスペーサーは発泡倍率の比較的低い発泡材料から形成されるため、緩衝能力が比較的弱い。これは二つの難問を抱く問題である。
【考案の開示】
【考案が解決しようとする課題】
【０００３】
本考案の主な目的は良好な緩衝能力と比較的高い剛性を兼ね備えることを可能にする多層のスペーサーを提供することである。
【課題を解決するための手段】
【０００４】
上述の目的を達成するために本考案による多層のスペーサーは一つの基層と、基層の両側に別々に位置する二つの緩衝層を有し、基層の剛性が二つの緩衝層より高い。
【考案を実施するための最良の形態】
【０００５】
以下、実施例と図面に基づいて本考案の構造と特徴を説明する。
図１に示すように、本考案の一実施例による多層のスペーサー１０は一つの基層１２と二つの緩衝層１４とから構成される。図２に示すように、スペーサー１０は若干の穿孔１６を有し、辺縁に対象物の特性に対応する若干の欠け口１８を有する。本実施例では、スペーサーは液晶基板（図中未表示）の間隔に用いられ、穿孔１６と欠け口１８は液晶基板の集積回路チップ、電線、変圧器などの電子ユニットに対応し、これらの電子ユニットが圧迫されることを防止する。また規格の異なる液晶基板に対応するため、スペーサー２０の形を図３に示す通り作製することが可能である。
【０００６】
基層１２は厚さが０．８ｍｍから３ｍｍのプラスチック薄板である。基層１２はＰＥＴ（polyethylene terephthalate）、ＡＢＳ（acrylonitrile-butadiene styrene terpolymer）、ＰＳ（polystyrene）、ＰＰ（polypropylene）、ＰＥ（polyethylene）などのプラスチック材料から構成される。また基層１２はスペーサー１０に一定の剛性を提供し、圧力分散の作用を有する。
【０００７】
図４に示すように、二つの緩衝層１４は基層１２の両側に付着する。二つの緩衝層はＰＰ、ＰＥ、ＰＳ、ＰＵ、ＰＶＣ（polyvinylchloride）などの材料を発泡作用させて生じた多孔構造である。前述の発泡材料の発泡倍率は約２倍から５０倍であり、５倍から３０倍の発泡倍率が比較的好ましく、特に１０倍から１８倍の発泡倍率がもっとも好ましい。二つの緩衝層１４は主に弾性緩衝能力を提供する。また特定の場合、発泡倍率の異なる発泡材料または異なる材料から二つの緩衝層１４を別々に作製することにより異なる緩衝能力を提供することが可能である。
【０００８】
図４に示すのは別の形のスペーサー３０である。その主な構造と前述の構造とはほぼ同じである。その違いは緩衝層３２の表面に所定のパターン３４を設けることにより静電気吸引の作用を減少させることである。
これにより、本考案の一実施例によるスペーサーは一定の剛性を有するため直立式収容に応用することが可能なだけでなく、相当な緩衝能力を有するため収容したものを保護することが可能である。
【図面の簡単な説明】
【０００９】
【図１】本考案の一実施例による多層のスペーサーの分解斜視図である。
【図２】本考案の一実施例による多層のスペーサーの平面図である。
【図３】本考案の一実施例による多層のスペーサーの他の形状を示す平面図である。
【図４】本考案の一実施例による多層のスペーサーの断面図である。
【図５】本考案のもう一つの実施例による多層スペーサーの断面図である。
【符号の説明】
【００１０】
１０：スペーサー、１２：基層、１４：緩衝層、１６：穿孔、１８：欠け口、２０：スペーサー、３０：スペーサー、３２：緩衝層、３４：パターン
【図１】
0003128961.tif 000003
【図２】
0003128961.tif 000004
【図３】
0003128961.tif 000005
【図４】
0003128961.tif 000006
【図５】
0003128961.tif 000007
(57)【要約】      （修正有）【課題】フック先端部分をＪ型にしロ−プ等が外れ落ちる事を防止する。【解決手段】フック先端部分を上向きにしＪ型にする事によりロ−プ等を外れにくくする事に役立つ。【選択図】図２
0003128926.tif 000002
【実用新案登録請求の範囲】
【請求項１】
荷台用フックをＪ型にしたところを特徴とするＪ型荷台用フック。
【考案の詳細な説明】
【技術分野】
【０００１】本考案は、荷台用フック部分をＪ型にしたものである。
【背景技術】
【０００２】荷台ロ−プ等を掛ける場合、外れる事が多かった。
【考案の開示】
【考案が解決しようとする課題】
【０００３】荷台ロ−プ等を外れにくくするため、先端部分を上向きにしＪ型にする事により、従来の欠点を解決しようとするものである。
【課題を解決するための手段】
【０００４】本考案は、先端部分を上向きにした事により解決している。
【考案の効果】
【０００５】上述の様に、本考案の先端部分を上向きにしＪ型にした事によりロ−プ等が外れにくくなる。
【考案を実施するための最良の形態】
【０００６】上部フック背中部分を、取り付けやすくするため平らに潰す。
又、先端部分を上向きにしＪ型にする事によりロ−プ等が外れにくくなる。
【実施例】
【０００７】以下、添付図面に従って説明する。１は後方から見た車輛２は、タイヤ３は、Ｊ型にした荷台用フック。
【産業上の利用可能性】
【図面の簡単な説明】
【０００８】
【図１】車輛を後方から見た図である。
【図２】本考案先端部分を上向きにしたＪ型用フック図である。
【符号の説明】
【０００９】１車輛後方
２タイヤ
３Ｊ型用フック
【図１】
0003128926.tif 000003
【図２】
0003128926.tif 000004
(57)【要約】【課題】本考案は、市場に流通している携帯型心電計に関し、生体情報を検出し送信する胸部に装着したセンサユニットからそれらの生体情報を受信し処理するユニットまでをワイヤレス化し、それらを構成する部品及びシステムを携帯電話に組み込むことが出きるまで極小化し、リアルタイムにいつでもどこからでも生体情報を受送信を可能とする。【解決手段】本考案は、被検体の胸部４に装着するセンサユニット２の構成部品の小型化とそのユニットの各構成部品及び各部品間の制御システムを最適化すること及びセンサユニット２から送信された生体情報を受信するユニット、センタ装置１の構成部品の小型化とそのユニットの各構成部品及び各部品間の制御システムの最適化により、生体情報を送信する先の携帯電話５やＰＤＡ等に組み込みが可能となり、心臓疾患者の日常生活での健康管理やスポーツのなどの現場での運動管理に役立つ。【選択図】図１
0003128928.tif 000002
【実用新案登録請求の範囲】
【請求項１】
携帯型心電計の構成部品の一つ、胸部に装着するセンサユニットから被検体の生体情報を無線で送信し、それら生体情報を受信し処理するユニットを極小化して携帯電話やＰＤＡなどに組み込むことが可能なまでに小型化した携帯型小型心電計
【考案の詳細な説明】
【技術分野】
【０００１】本考案は、携帯電話やＰＤＡ等に組み込み可能な小型のワイヤレス携帯型健康管理機能及びリアルタイム受送信機能付心電計に関するものである。
【背景技術】
【０００２】市場に流通している携帯型心電計は、心電図波形や心拍数などの生体情報を送信する胸部に装着したユニットからそれらの生体情報を受信し処理するユニットまでが有線であるため、携帯型心電計とその使用者との拘束が不可欠で使用者の行動は制約されている。【０００３】連続測定のための携帯型心電計は、重量が２０〜５０ｇと大きく、体の弱った使用者、例えば心臓疾患者には負担が大きすぎ使用が困難である。
【考案の開示】
【考案が解決しようとしている課題】
【０００４】心臓に疾患のある患者の日常生活での予兆管理向けに、患者と医師がリアルタイムでいつでもどこからでも生体情報を送受信できる携帯型のワイヤレス心電計の開発が求められている。携帯電話やＰＤＡ等に組み込み可能なワイヤレスで小型化された生体情報を受信し処理するユニットを開発することにより前述の欠点を解決しようとするものである。
【０００５】スポーツなどの現場では心電図や心拍数などがリアルタイムに把握でき、日々の運動管理や疲労度の評価が出来る軽量で小型化されたワイヤレスの心電計の開発が求められている。小型化し且つワイヤレスにすることにより前述の欠点を解決しようとするものである。
【課題を解決するための手段】
【０００６】本考案は、心電図波形や心拍数などの生体情報を胸部に装着し検出し送信するセンサユニットの構成部品、センサ本体、センサ駆動制御部、センシング信号送信部、アンテナ部の各部品の小型化と、例えば、そのユニットトータルの消費電力を最小にすべく、生体情報を検出し送信する時と非検出時における各部及び各部位間の制御システムを最適化などして極小化した。これにより市販されている汎用コイン型の小型バッテリで心電計を駆動出来、小型化の課題を解決している。実施例の生体情報センサユニットは１１．５ｇと従来品の１／５〜１／２まで小型、軽量化出来ている。
【０００７】本考案は、心電図波形や心拍数などの生体情報を受信するユニットを構成する信号分配部、受信部、心電図データ処理部の各部品の小型化と、例えば、そのユニットトータルの消費電力を最小にするために、生体情報の受信時と非受信時における各部及び各部位間の制御システムを最適化などして極小化した。これにより心電図波形や心拍数などの生体情報を受信する構成部位及び構成部位間のシステムを極小化出来、これら生体情報を送信する先の携帯電話やＰＤＡ等に組み込みが可能となり前述の課題を解決している。
【考案の効果】
【０００８】上述のように、本考案のワイヤレス携帯型健康管理機能及びリアルタイム受送信機能付小型心電計は、例えば携帯電話に組み込みが可能なことから、心電図波形や心拍数などの生体情報をいつでもどこからでもリアルタイムで自分の携帯電話で見ることが出来る。生体情報を受信するユニットに、例えば、弊社の出願特許（特願２００５−３１４９３４）「生体情報モニタシステム」及び（特願２００５−２９１２８３）「生体情報モニタシステム」の請求事項である被検者の心電図の異常判定ソフトを組み込んだユニットの場合、心電図の異常の有無が判定出来、予兆管理が出来るとともに日常の健康管理にも資する。
【０００９】上述のように、心電図波形や心拍数などの生体情報をいつでもどこからでもリアルタイムで自分の携帯電話で見ることが出来ることから、その生体情報を被検者のかかりつけの病院や主治医にいつでもどこからでも送信が可能で、心臓疾患者の緊急時の対応に効果がある。
【考案を実施するための最良の形態】
【００１０】ワイヤレス携帯型健康管理機能及びリアルタイム受送信機能付心電計は、弊社の出願特許（特願２００５−３１４９３４）「生体情報モニタシステム」及び（特願２００５−２９１２８３）「生体情報モニタシステム」の請求事項である生体情報システム、すなわち心電図波形や心拍数などの生体情報を検出し送信する次に記す主要３部品、センサ本体、センサ駆動制御部、センシング信号送信部から構成されるセンサユニットと生体情報を受信する次に記す主要３部品、信号分配部、受信部、心電図データ処理部から構成されるセンサデータ収集処理ユニットとを組み立て、この内、心電計の送信部を携帯電話やＰＤＡに装着することで本考案を実施できる。
【実施例】
【００１１】以下、添付図面に従って一実施例を説明する。
図１は、本考案の生体情報モニタシステムを携帯電話に組み込んだ概略構成を示す図である。
４は使用者、すなわち被検体である。４の胸部にセンサユニット２を装着する。
センサユニット２で受信された心電図波形、心拍数などの生体情報は無線ネットワーク３でセンタ装置１に送信される。センタ装置１で受信された心電図波形、心拍数などの生体情報はデータ収集処理部で正常時の心電図波形と比較し異常の有無の判定結果を携帯電話５に送信する。
図２は、センサユニット２を使用者、すなわち被検体４の胸部に装着している図である。
図３はセンサユニット２の構成図である。センサユニット２はセンサ本体とセンサ駆動制御部から構成されている。
図４はセンタ装置１の構成図である。センサデータ収集処理部で心電図波形の異常の有無ほか処理されたデータは送信部を経て携帯電話に送信される。
【図面の簡単な説明】
【００１２】
【図１】本考案の生体情報モニタシステムを携帯電話に組み込んだ概略構成を示すである。
【図２】センサユニット２を使用者、すなわち被検体４の胸部に装着している図である。
【図３】はセンサユニット２の構成図である。
【図４】はセンタ装置１の構成図である。
【符号の説明】
【００１３】  １センタ装置
２センサユニット
３無線ネットワーク
４心電計の使用者、すなわち被検体
５携帯電話
【図１】
0003128928.tif 000003
【図２】
0003128928.tif 000004
【図３】
0003128928.tif 000005
【図４】
0003128928.tif 000006
(57)【要約】      （修正有）【課題】凍結したティグランドなどで、ティ立て用差し込み穴を開ける道具の先端部分（ピン）が交換可能な器具を提供する。【解決手段】柄（１）の付いた上板（２）をピン（６）を挿入した固定板（３）にネジ（４・５）で締付け固定する。ティーアップ時のボール位置（高さ及びティーの長さ）の選択により穴の深さを変更したい時は、ネジ（４・５）の着脱で容易に交換装着出来る。これにより希望の深さの穴を開ける事が出来る。【選択図】図２
0003128925.tif 000002
【実用新案登録請求の範囲】
【請求項１】
ティーに相当する大きさのピン（６）と、このピン（６）を上から挿入して取付ける穴（７）を設けた固定板（３）と、固定板（３）の上に重ねて穴（７）に挿入したピン（６）の頭を押さえる上板（２）と、上板（２）に立ち上げた柄（１）よりなり、かつ固定板（３）の上に重ねた上板（２）は、ネジで同固定板（３）に固定する構成とした事をを特徴とする、ティー立て用穴開け器具。
【考案の詳細な説明】
【技術分野】
【０００１】本考案は冬季時期のゴルフ場の凍結したティーグランドにティーアップの際に用いるティーを立てるための穴を開ける道具に関するものである。
【背景技術】
【０００２】凍結したティーグランドにティーアップの際に用いるティーを立てる穴を開ける道具としては種々考案されているが、先端の針（ピン）が磨耗・破損した場合は道具本体ごと使用不能になる。
【考案の開示】
【考案が解決しようとする課題】
【０００３】先端の針（ピン）が磨耗・破損した場合、使用不能となり修理しなければ道具本体が無駄になり新規に購入しなければならない。【０００４】先端の針（ピン）を溶接などにより適当な材料で補修しても金属の性質上、強度が出ない為に曲がってしまったり、焼き入れなどを行い強度をある程度出していても溶接した部分から折れてしまうケースが多い。【０００５】従来の道具は、先端の針（ピン）の長さが個々の製品で決っている為、使用するティーの大きさや長さによっては穴を開ける道具を、何種類か用意して多用しなければならない。【０００６】ゴルフプレーに於けるティーの高さの重要性は、ゴルフプレイヤーの使用するゴルフクラブや技術によって、ティーの高さはショットに多大な影響が及ぶ為、ティーの高さに神経質になるプレイヤーが多いのも事実である。【０００７】本考案は上記の問題により、ティーの高さ＝ティー立て穴の深さ（ティーに相当する大きさ）、を解決すべく使用するティーに相当する大きさのピンに交換出来る事を技術的課題とする。
【課題を解決するための手段】
【０００８】上記の課題を解決するために、本考案が提供するティー立て用穴開け器具は、ティーに相当する大きさのピン（６）と、このピン（６）を上から挿入して取付ける穴（７）を設けた固定板（３）と、固定板（３）の上に重ねて穴（７）に挿入したピン（６）の頭を押さえる上板（２）と、上板（２）に立ち上げた柄（１）よりなり、かつ固定板（３）の上に重ねた上板（２）は、ネジで同固定板（３）に固定する構成とした事を特徴とするものである。
【考案の効果】
【０００９】上記により、穴の深さを変更する時やピンの消耗時など交換が容易であるため、器具本体も長期に亘り使用出来る。【００１０】合体させた上板と固定板には適度な重量が有り、ピンの先端に力が集中して容易に穴を開ける事が出来る。
【考案を実施するための最良の形態】
【００１１】以下本考案の実施例の作用と構成について説明する。
【実施例】
【００１２】図２の固定板３のピンを取付ける穴７に使用するティーに相当する大きさのピン６を挿入して、柄１が立ち上げられている上板２を重ねネジ挿入穴ａｂにネジ４・５を通し固定板３のネジ締込み穴ｃｄにネジを締込み固定する。これによりピン６の頭が押えられ固定される。【００１３】図１が組立て後の全体図である。【００１４】図４柄１の上部（Ａ）を手で持ち上げ、下部（Ｂ）に足先を入れて（図３参照）体重をかけて凍結したティーグランドに先端部（ピン）を地面に強く押し込んでから引き上げると穴ｅが開けられる。【００１５】図５の開けられた穴ｅにティ８を差し込みボール９をセットしてティーショットするものである。
【図面の簡単な説明】
【００１６】
【図１】ティー立て用穴開け器具の斜視図である。
【図２】ティー立て用穴開け器具の分解斜視図である。
【図３】ティー立て用穴開け器具の操作状態例を示す斜視図である。
【図４】ティー立て用穴開け器具の使用状態例を示す斜視図である。
【図５】ティー立て用穴開け器具の使用状態例を示す正面図である
【符号の説明】
【００１７】１  柄
２  上板
３  固定板
４  ネジ
５  ネジ
６  ピン
７  ピン挿入穴
８  ティ
９  ボール
ａ  ネジ挿入穴
ｂ  ネジ挿入穴
ｃ  ネジ締込み穴
ｄ  ネジ締込み穴
ｅ  開けられた穴
【図１】
0003128925.tif 000003
【図２】
0003128925.tif 000004
【図３】
0003128925.tif 000005
【図４】
0003128925.tif 000006
【図５】
0003128925.tif 000007
(57)【要約】【課題】本考案は、マフラー中央部分に切れ目を入れる事で機能、ファッション性が向上する。【解決手段】本考案は、マフラーの先端部を２の切れ目に通す事で布自体の摩擦により解け難くなり防寒性の増し役立つ。【選択図】図１
0003128927.tif 000002
【実用新案登録請求の範囲】
【請求項１】
マフラー中央部に切り込みを入れることで、解れにくくなり多様な組み合わせと結び目が作れる特徴のスリットマフラー。
【考案の詳細な説明】
【技術分野】
【０００１】本考案は、中央部分に切り込みを入れたマフラーに関するものである。
【背景技術】
【０００２】既存のマフラーは結び方に限りがあり、ほどけやすい。
【考案の開示】
【考案が解決しようとする課題】
【０００３】現在の衣料品は、多種多様な組み合わせの中で、マフラー製品は形体が不変的で機能、ファッション性に欠け奇を衒う形が多い。
【問題を解決するための手段】
【０００４】本考案は、マフラー本体中央部分に切り目を入れる事で問題を解決する。
【考案の効果】
【０００５】上述のような従来の物には無い機能、ファッション性を備え多種の結び目組み合わせが可能になる。
【考案の実施するための裁量の形態】
【０００６】マフラー中央部分に切れ目を入れる。
【実施例】
【０００７】２の切れ目に１を通す。
【図面の簡単な説明】
【０００８】
【図１】本考案のスリットマフラーの平面図である。
【図２】スリットマフラーを人体上半身の首部分に巻き着けた正面図である。
【符号の説明】
【０００９】１、マフラー本体
２、切れ目
３、人体上半身部
【図１】
0003128927.tif 000003
【図２】
0003128927.tif 000004
(57)【要約】【課題】ペットボトルキャップを捻れない握力のない人のためストローを使用  ペットボトルを傾けてもストロー孔から漏れず暗くても最後の一滴まで飲め  運搬時も内溶液が漏れない安全なペットボトルキャップ。【解決手段】従来のペットボトルキャップにストロー差し込み孔と空気取入孔をあけストローを斜めに固定し差し込み孔と密着させるとペットボトルが倒れても空気取入孔からもストローからも内容液は漏れない。暗くても全量が飲めるようにボトルの向きがわかる突起を付け  運搬時はストロー差し込み孔と空気取入孔は閉塞紙で塞ぐ。【選択図】図５
0003128978.tif 000002
【実用新案登録請求の範囲】
【請求項１】
ペットボトルキャップ使用時にはストローを差し込み孔と空気取入孔の２つの孔をキャップ頂面に備え  通常はシール材又は閉塞紙で上記２つの孔が閉じられ一つの突起を持つペットボトルのキャップ。
【請求項２】
ストロー差し込み孔の裏面には傾斜したストロー案内筒が設けられていることを特徴とする請求項１記載のペットボトルのキャップ。
【考案の詳細な説明】
【技術分野】
【０００１】
ペットボトルのキャップに関する。
【背景技術】
【０００２】
ペットボトルキャップを突いて穴をあけストローで飲めるが横になると穴がストローに対して大きいためストローを伝って液体が漏れる。また大きい穴でないと底に届かず全量飲めない。
【特許文献１】特開２０００−２４７３５３号公報
【特許文献２】登録実用新案第３０９０６７７号公報
【考案の開示】
【考案が解決しようとする課題】
【０００３】
ペットボトルは直接口をつけて飲むか  別の器に移し変えて飲む方法しかないが握力が弱い小児、女性、障害者はキャップが捻れない。キャップを取らずに内容液が飲め同時にペットボトルを傾けてもこぼれず  暗くても全量飲むことができ  運搬時も内溶液が漏れない安全なペットボトルキャップ。
【課題を解決するための手段】
【０００４】
ペットボトルキャップを捻って外さずに元来付いているキャップ頂面には閉塞紙(４)が貼られている。
【０００５】
閉塞紙(４)をはがすとキャップにはストロー差し込み孔(１)と空気取入孔(２)がありストロー差し込み孔(１)の裏面には傾斜したストロー案内筒(３)が設けられている。ペットボトルの底の中央がもりあがっていてもストロー案内筒(３)はストローに傾斜を付けボトルの底の側面にとどき最後の一滴まで飲める。
【０００６】
ストロー差し込み孔(１)は上下とも同一の太さのストローは入らない。市販の伸縮ストローは先が細くいれやすく入りきった部分は太く柔らかく差し込み孔に密着する。差し込み孔とストローが密着するとペットボトルが倒れても空気取入孔(２)からもストローからも液体は漏れない。
【０００７】
ペットボトルの内容物が少なくなると空気を飲まぬようキャップの突起(５)が指にあたりボトルの傾きが暗くてもわかり全量飲める。
【０００８】
閉塞紙(４)をはがさずにキャップを捻って取る普通のペットボトルキャップとしても使用可能。
【考案の効果】
【０００９】
横に倒しても漏れないストロー使用のペットボトルは  小児はこぼさず  就寝中、入院中は起き上がる必要がなく  女性は頭をそらせて飲むことなく見苦しくない。運転中もラッパのみをすることなく目線が安定するので安全。薄暗い寝室や病室でもキャップの突起でボトルの向きがわかり飲みやすい。
【考案を実施するための最良の形態】
【００１０】
ペットボトル前面に「ストロー使用可」の表示マークを付ける。ポリ袋に入れた伸縮ストローを  真後ろ  左右は避けて貼り付ける（となりのボトルとふれない位置）。閉塞紙にツマミの部分をつける。閉塞紙と伸縮ストローのカラーを同一にすると挿入孔とストローの組み合わせを間違えない。伸縮ストローに差込む目安になる線を付ける。キャップ中央に挿入孔があると閉塞紙(４)を貼るのにあたりをつけやすい。
【産業上の利用可能性】
【００１１】
ペットボトルにこのキャップを装着しポリ袋に入った伸縮ストローを貼り付けると  自動販売機で従来のペットボトル飲料と同様に販売出来る。又  このキャップに伸縮ストローを取り付けると交換用ペットボトルキャップとして販売する事も出来る。
【図面の簡単な説明】
【００１２】
【図１】閉塞紙で閉じられたペットボトルの状態図
【図２】閉塞紙で閉じられたキャップの断面図
【図３】閉塞紙をはがしたキャップの傾斜図
【図４】同キャップに伸縮ストローを差し込んだ断面図
【図５】同ペットボトルの使用状態を示す図
【符号の説明】
【００１３】
１  ストロー差し込み孔
２  空気取入孔
３  傾斜したストロー案内筒
４  閉塞紙
５  突起
【図１】
0003128978.tif 000003
【図２】
0003128978.tif 000004
【図３】
0003128978.tif 000005
【図４】
0003128978.tif 000006
【図５】
0003128978.tif 000007
(57)【要約】【課題】本考案では、襟部分に伸縮機能を持たない半袖ハイネックシャツの着脱が容易ではなく、襟部分を開くために正面にボタンやファスナーを配置すると衣服のデザインの自由度を損ねてしまうことを課題とする。【解決手段】本考案では、半袖ハイネックシャツの襟部及び肩部にファスナーを連続して配置し、生地の合わせ目で当該ファスナーを隠すことで、シャツの着脱を容易にしつつ、胸部のデザインの自由度を高めることが可能となる。【選択図】図１
0003128931.tif 000002
【実用新案登録請求の範囲】
【請求項１】
少なくとも一方側の肩部と肩側の襟部に開き部が連続して設けられ、前記開き部がファスナーで開閉自在に連結されている半袖ハイネック衣類において、ファスナーを生地の合わせ目の中に収納することによって胸部へのファスナーやボタンの露出を無くすことを特徴とする肩部襟部開閉衣類。
【請求項２】
前記ファスナーのチェーン部を構成する各ムシが樹脂製であることを特徴とする請求項１に記載の肩部襟部開閉衣類。
【考案の詳細な説明】
【技術分野】
【０００１】  本考案は、襟部及び肩部に開き部が設けられ、当該開き部がファスナーで開閉自在に連結されている半袖ハイネック肩部襟部開閉衣類に関するものである。
【背景技術】
【０００２】  従来のハイネックシャツは、頭を通過させるため、襟部に伸縮素材を用いるか、ボタンやファスナーで襟部及び肩部を開閉させる箇所を設ける必要があった。
【考案の開示】
【考案が解決しようとする課題】
【０００３】  しかしながら、前者の伸縮素材を用いるシャツでは着脱を繰り返すうちに、襟部が伸びてしまう問題が発生していた。また、後者のボタンやファスナーで開閉部を設ける方法では、接着箇所（主に胸部）で当該素材が目立ってしまうため、構成可能なデザインが制限されるという問題があった。
【課題を解決するための手段】
【０００４】  本考案は、ファスナーを襟部及び肩部に連続して配置し、生地の合わせ目でそのファスナーを隠すことで、上記課題を解決する。
【考案の効果】
【０００５】  着用時にはファスナーを開くことで、頭部を容易に通過させることができる。【０００６】  着用後にはファスナーを閉じることで、襟部が立ち、ハイネックシャツとなる。このときに、ファスナーは襟部及び肩部の生地の合わせ目に隠れるため、胸部のデザインに制限が加わることが無い。【０００７】  また、ファスナーのチェーン部を構成する各ムシを樹脂製にすると、肌に触れた時の冷たさを回避することができる。
【実施例１】
【０００８】  図１は、当該考案の実施例である。
【図面の簡単な説明】
【０００９】
【図１】肩部襟部開閉衣類の実施例を示した説明図である。
【図２】図１を着用した場合の正面図である。
【図３】図１を着用した場合の側面図である。
【図４】ファスナーのムシ部を布地の合わせ目で覆う構造を示す。
【符号の説明】
【００１０】  （１）  ハイネック構造の襟部
（２）  ファスナー
（３）  スライダー
（４）  生地の合わせ目
（５）  ファスナーを隠すための生地の合わせ目の拡大図
【図１】
0003128931.tif 000003
【図２】
0003128931.tif 000004
【図３】
0003128931.tif 000005
【図４】
0003128931.tif 000006
(57)【要約】      （修正有）【課題】猫は毎日数回爪を砥ぐ習性があり、この爪砥ぎにより、家屋内の壁や柱、家具等がキズだらけになってしまうこともある。一方、従来市販されている爪砥ぎ具は、壁や柱にぶら下げるタイプのものがほとんどであり、不安定で動きやすく、猫が力を込めて引っ掻くことが出来ず、猫になかなか使ってもらえなかった。【解決手段】柱状をなし、表面部分が、爪が喰い込む程度の硬さとなっている爪砥ぎ材を、板状をなした基部から上方へ向かって植設せしめた。【選択図】図１
0003128941.tif 000002
【実用新案登録請求の範囲】
【請求項１】
柱状をなし、表面部分が、爪が喰い込む程度の硬さとなっている爪砥ぎ材を、板状をなした基部から上方に向かって植設せしめたことを特徴とする猫の爪砥ぎ具。
【請求項２】
爪砥ぎ材が、木材によって構成されていることを特徴とする請求項１記載の猫の爪砥ぎ具。
【請求項３】
爪砥ぎ材の表面円周方向に、間隔をあけて多数の溝を形成せしめたことを特徴とする請求項２記載の猫の爪砥ぎ具。
【請求項４】
柱状の芯材の外側に袋状部材を被せて爪砥ぎ材を構成せしめたことを特徴とする請求項１記載の猫の爪砥ぎ具。
【考案の詳細な説明】
【技術分野】
【０００１】
愛玩動物用の飼育関連器具、詳しくは、ペットとして飼われている猫の爪砥ぎの用に供する為の器具に関するものである。
【背景技術】
【０００２】
猫の爪は絶えず伸び続けるので、これに対処する為、猫は毎日数回ずつ爪を砥ぐ習性がある。
【特許文献１】なし
【非特許文献１】なし
【考案の開示】
【考案が解決しようとする課題】
【０００３】
家の中で飼われている猫は、クロス貼りの壁、障子の木枠、ソファーの肘掛けなどで爪を砥ぐことが多く、この爪砥ぎによって家中がキズだらけになってしまうこともあった。この爪砥ぎは、猫の習性であるので、たとえ叱ったとしても決して止めることはなく、猫を飼っている人にとっては、この爪砥ぎは悩みの種である。
【０００４】
従来においても、猫の爪砥ぎに用いる用具はいくつか提案され、市販されているが、壁や柱にぶら下げるタイプのものがほとんどであり、安定性に欠け、簡単に動いてしまい、猫が力を込めて気持ち良く引っ掻くことが出来ないので、猫の興味を惹くことが出来ず、飼い主の意図に反してなかなか猫に使ってもらえないのが実情である。
【０００５】
本考案者は、猫の爪砥ぎに関する従来の問題点を解決すべく猫の習性を研究した結果、猫が興味を持って積極的に利用する新しい爪砥ぎ具を開発することに成功し、本考案として、ここに提案するものである。
【課題を解決するための手段】
【０００６】
柱状をなし、表面部分が、爪が喰い込む程度の硬さとなっている爪砥ぎ材を、板状をなした基部から上方に向かって植設せしめて猫の爪砥ぎ具を構成することにより、上記課題を解決した。
【実施例】
【０００７】
図１はこの考案に係る猫の爪砥ぎ具の一実施例の斜視図である。図中１は円盤状をなした基部であり、金属、硬い木材、集積材など比較的重量のある素材から構成されている。なお、この実施例においては、基部１には６ｍｍ厚のステンレス板を用いた。そして、この基部１の中央からは、上方に向かって柱状をなした爪砥ぎ材２が立設せしめられている。爪砥ぎ材２は、猫がこれに前脚を掛けたり、よじ登って、その表面に爪を立てて爪砥ぎを行う部材であり、その表面部分は爪が適度に喰い込み、引っ掻くことが出来る程度の硬度となっており、杉などの木材が好適に使用出来る。又、図１に示す様に、この爪砥ぎ材２の表面円周方向には間隔をあけて多数の溝３，…が形成されており、猫の爪が引っ掛かりやすくなっている。
【０００８】
なお、爪砥ぎ材２は、前述のものの様に、木材によって構成するほかに、図２に示すものの様に、ステンレスなどの金属製あるいは硬質プラスチック製などの円柱状をなした芯材４の外側に布や皮革などを素材とした袋状部材５を被せたものでも良い。
【０００９】
この考案に係る猫の爪砥ぎ具は上記の通りの構成を有するものであり、猫が近づきやすい室内外の適当箇所に設置して使用に供するものであり、猫は爪砥ぎ材２に前足を掛けたり、よじ登ってその表面を爪で引っ掻いて爪砥ぎを行う。その際、この爪砥ぎ具は、基部１によって安定的に設置されているので、爪砥ぎ材２が動揺してしまうことはなく、猫は力を込めて、気持ち良く引っ掻くことが出来、しかもよじ登ることも可能なので、猫の興味を十分に惹き付け、猫のストレス解消の為の遊具としても機能する。
【００１０】
従って、猫はこの爪砥ぎ具によって積極的に爪砥ぎを行う様になり、ソファーの肘掛け、クロス貼りの壁、障子の木枠など、従来好んで行っていた場所での爪砥ぎを行わなくなり、家屋や家具の損傷を防ぐことが出来る効果を有する。
【図面の簡単な説明】
【００１１】
【図１】この考案に係る猫の爪砥ぎ具の一実施例の斜視図。
【図２】同じく、その他の実施例の斜視図。
【符号の説明】
【００１２】
１    基部
２    爪砥ぎ材
３    溝
４    芯材
５    袋状部材
【図１】
0003128941.tif 000003
【図２】
0003128941.tif 000004
(57)【要約】【課題】本考案は、一対の押圧板の間に回動自在なる部材を有してなるペットボトル潰し機において、使用しない時は、一対の押圧板を開閉不能にする事により、不慮の事故を防止するための安全性を高めたペットボトル潰し機を提供するものである。【解決手段】一対の押圧板１，２に、一対の掛け金５Ａ，５Ｂと、錠６を配設する。【選択図】図１
0003128916.tif 000002
【実用新案登録請求の範囲】
【請求項１】
一対の押圧板の間の一端に、回動自在なる部材を取り付けて締結した構造物であって、この押圧板の間にペットボトルを挟んで押圧して減容することを目的とするペットボトル潰し機において、一対の押圧板において、回動自在なる部材の取り付け部とは反対側の端面部に、一対の掛け金と錠を配設してなる、ペットボトル潰し機。
【考案の詳細な説明】
【技術分野】
【０００１】  本考案は、一対の押圧板の間に回動自在なる部材を有してなるペットボトル潰し機に関するものである。
【背景技術】
【０００２】  従来から、一対の押圧板の間に回動自在なる部材を有してなるペットボトル潰し機は考案されていたが、当該押圧板の形状を屈曲変形させた物や、当該押圧板の押圧部位に他の部材を追加して構成した物などがあった。
【考案の開示】
【考案が解決しようとする課題】
【０００３】  しかしながら、従来、当該一対の押圧板は、常に開閉可動可能の状態にある構造であるから、幼児などが不用意に当該押圧板を開閉作動させて、手指などを損傷させてしまう危険性があった。
【課題を解決するための手段】
【０００４】  本考案は、一対の押圧板の間の一端に、回動自在なる部材を取り付けて締結した構造物であって、この押圧板の間にペットボトルを挟んで押圧して減容することを目的とするペットボトル潰し機において、一対の押圧板の回動自在なる部材の取付け部とは反対側の端面部に、一対の掛け金と錠を配設してなる機構を具備することで、一対の押圧板の開閉可動が出来ないようにする事を実現し、これにより、上記課題を解決するものである。
【考案の効果】
【０００５】  本考案のペットボトル潰し機は、一対の押圧板の回動自在なる部材の取り付け部とは反対側の端面部に一対の掛け金と錠を配設しているために、開錠しなければ一対の押圧板を開閉可動させることが出来ない。従って、施錠してあれば、幼児などが不用意に当該押圧板を開閉可動させることが出来ないので、幼児などが手指を損傷するなどの不慮の事故を防止することができる。
【考案を実施するための最良の形態】
【０００６】  一対の押圧板の間に回動自在なる部材を有してなるペットボトル潰し機において、幼児などが、不用意に当該押圧板を開閉可動することを出来ないようにするという目的を、一対の押圧板１，２の回動自在なる部材３の取付け部とは反対側の端面部に、一対の掛け金５Ａ，５Ｂと錠６を配設することによって実現した。
【図面の簡単な説明】
【０００７】
【図１】本考案に係るペットボトル潰し機の施錠した時の外観図である
【図２】本考案に係るペットボトル潰し機の開錠した時の外観図である
【符号の説明】
【０００８】１・・・押圧板１
２・・・押圧板２
３・・・回動自在なる部材
４・・・ストッパー部
５Ａ，５Ｂ・・・一対の掛け金
６・・・錠
【図１】
0003128916.tif 000003
【図２】
0003128916.tif 000004